(57)【要約】【課題】各機器の運転制御を微細且つ効率的に行い得る機器制御システムを提供する。【解決手段】運転管理装置１００は対応機器（ショーケース、冷凍機、空調機、照明器具）のセンサー情報と運転情報（運転設定や運転モードに関する情報等）を収集し、これを所定のタイミングで店舗管理装置２００に送信する。店舗管理装置２００はそれぞれの運転管理装置１００から受信した情報と、室内センサー５０１および室外センサー５０２からのセンサー情報に基づいて、各機器の制御情報（目標値）を生成し、これを対応する運転管理装置１００に送信する。運転管理装置１００は、受信した制御情報に従って対応機器を運転制御する。【選択図】        図１
2004257640.tif 000002
【特許請求の範囲】
【請求項１】
機器を制御するための制御装置と、複数の前記制御装置に対し制御情報を提供して各機器を統合的に管理する管理装置とを備え、
前記制御装置は、制御対象の機器からのセンサー情報と当該機器の運転情報を前記管理装置に送信すると共に、前記管理装置からの制御情報に従って当該機器を運転制御し、
前記管理装置は、それぞれの制御装置から収集した前記センサー情報と運転情報に基づいて各機器の制御情報を生成しこれを対応する制御装置に送信する、
ことを特徴とする機器制御システム。
【請求項２】
店舗内に設置された所定の機器を制御対象とする制御装置と、複数の前記制御装置に対し制御情報を提供して各機器を統合的に管理する管理装置とを備え、
前記制御装置は、制御対象の機器からのセンサー情報と当該機器の運転情報を前記管理装置に送信すると共に、前記管理装置からの制御情報に従って当該機器を運転制御し、
前記管理装置は、それぞれの制御装置から収集した前記センサー情報と運転情報に基づいて各機器の制御情報を生成しこれを対応する制御装置に送信する、
ことを特徴とする機器制御システム。
【請求項３】
請求項２において、
前記管理装置は、当該店舗内および／もしくは当該店舗外に配されたセンサー手段からのセンサー情報をさらに収集し、それぞれの制御装置から収集したセンサー情報および運転情報と前記センサー手段から収集したセンサー情報に基づいて、各機器の制御情報を生成する、
ことを特徴とする機器制御システム。
【請求項４】
請求項２または３において、
前記管理装置は、店舗内に配されており、制御装置から収集した情報の一部または全部を、ネットワークを介して、店舗外に配された遠隔管理装置に送信する、
ことを特徴とする機器制御システム。
【請求項５】
店舗内に設置された所定の機器を制御対象とする制御装置と、店舗内に配されると共に複数の前記制御装置に対し制御情報を提供する店舗管理装置と、当該店舗管理装置にネットワークを介して接続されると共に前記店舗管理装置に制御情報を提供して各機器を統合的に管理する遠隔管理装置とを備え、
前記制御装置は、制御対象の機器からのセンサー情報と当該機器の運転情報を前記管理装置に送信すると共に、前記管理装置からの制御情報に従って当該機器を運転制御し、
前記店舗管理装置は、それぞれの制御装置から収集した前記センサー情報と運転情報を前記遠隔管理装置に送信すると共に前記遠隔管理装置から受信した制御情報を対応する制御装置に送信し、
遠隔管理装置は、店舗管理装置から受信したそれぞれの制御装置からの前記センサー情報と運転情報に基づいて各機器の制御情報を生成しこれを前記店舗管理装置に送信する、
ことを特徴とする機器制御システム。
【請求項６】
請求項５において、
前記店舗管理装置は、当該店舗内および／もしくは当該店舗外に配されたセンサー手段からのセンサー情報をさらに収集し、それぞれの制御装置から収集したセンサー情報および運転情報と前記センサー手段から収集したセンサー情報を前記遠隔管理装置に送信する、
ことを特徴とする機器制御システム。
【請求項７】
請求項１ないし６の何れかにおいて、
前記管理装置、店舗管理装置または遠隔管理装置は、前記制御情報として、全機器の総消費電力を抑制する制御目標値を機器毎に生成し、前記制御装置は、生成された制御目標値に従って、対応機器を制御する、
ことを特徴とする機器制御システム。
【発明の詳細な説明】
【０００１】
【発明の属する技術分野】
本発明は、機器制御システムに関し、特に、スーパーマーケット等の店舗に設置された冷凍・冷蔵ショーケース、冷凍ユニット、空調機等を統合的に運転管理する場合に用いて好適なものである。
【０００２】
【従来の技術】
スーパーマーケット等の大規模店舗には、冷凍・冷蔵ショーケース（以下、「ショーケース」と称する）やこれに組み合わせられる冷凍ユニット、その他、空調機、照明機器など、様々な機器が設置されている。各機器は、それぞれの運転条件や目標値に適合するよう運転制御される。たとえば、ショーケースには、所定の庫内温度が目標値として設定され、ショーケースは、この庫内温度を維持するよう、運転制御される。
【０００３】
ここで、それぞれの機器の運転は、他の機器の運転に何らかの影響を与える関係にある。すなわち、ある機器の運転により店舗内環境に変化が生じると、この機器の運転は、その環境条件を目標値とする他の機器の運転に影響を与える。具体的には、空調機の運転によって店舗内温度が変化すると、温度を目標値とするショーケースや冷凍機の運転が影響を受ける。
【０００４】
このように、各機器間には、その運転が他の機器の運転に影響を与えるとの関係があることから、各機器の運転制御がそれぞれ個別独立に行われると、その機器の運転によって、たとえば他の機器の消費電力が増大するとの事態が起こり得る。たとえば、空調機が暖房運転を実行しているときに、目標温度が引き上げられると、店舗内温度の上昇に伴い、ショーケースや冷凍機の消費電力が増大する。
【０００５】
これに対し、特許文献１には、店舗内に設置されている各機器を店舗内管理装置によって集中管理し、当該店舗の総消費電力を低減する技術が記載されている。この技術は、各機器で検知したセンサー情報を店舗内管理装置が収集し、このセンサー情報に基づいて、店舗内管理装置が各機器を統合的に運転管理するものである。
【０００６】
【特許文献１】
特開平１１−２０６０１４号公報
【０００７】
【発明が解決しようとする課題】
しかし、かかる従来技術では、各機器の運転制御がセンサー情報のみに基づいて行われているため、各機器の運転状態が変化した場合には、この変化に円滑に追随した運転制御が実現され難いとの問題が生じる。
【０００８】
たとえば、空調機器に対して起動タイマーが設定されているような場合、タイマー時間の経過後に空調機器がいきなり起動されると、消費電力が瞬時に増大し、その結果、他の機器の運転が低下される方向に制御されることとなる。しかし、このとき他の機器が設定限界状態にて運転されていると、この機器の運転をさらに低下させることはできないため、当該他の機器はその際の運転状態がそのまま維持されることとなる。その結果、タイマー時間経過後しばらくは、店舗内の総消費電力が大きくなってしまう。
【０００９】
そこで、本発明は、このような問題を解消し、各機器の運転状態が変化するような場合にも、各機器の運転制御を円滑且つ効率的に行い得る機器制御システムを提供することを課題とする。
【００１０】
【課題を解決するための手段】
本発明は、センサー情報に加え、各機器の運転情報（運転設定や運転モードに関する情報等）を各機器から収集し、この情報に基づいて、各機器を運転制御するものである。
【００１１】
一例として、本発明では、店舗内に管理装置を配し、この管理装置に上記情報を収集させる。管理装置は、収集したセンサー情報および運転情報に基づいて、制御情報（たとえば目標値）を生成し、これを各機器に送信する。各機器は受信した制御情報に応じた運転を実行する。
【００１２】
ここで、店舗内に設置された管理装置は、各機器から収集した情報のみならず、店舗内や店舗外に設置されたその他のセンサー（温度計、湿度計、照度計など）からの情報をも用いて制御情報の生成を行うようにしても良い。これにより、さらに効果的な制御が可能となる。
【００１３】
また、制御情報の生成は、店舗外に設置された遠隔制御装置にて実行するようにしてもよい。この場合、店舗内に設置された管理装置に集約された上記情報は、当該管理装置からネットワークを介して遠隔管理装置に送信される。そして、受信した情報をもとに遠隔管理装置にて制御情報の生成処理が実行され、生成された制御情報が、ネットワークを介して店舗内の管理装置に送り返される。管理装置は、受信した制御情報を各機器に送信する。これにより、たとえば総消費電力を抑制した運転制御が実行される。
【００１４】
ここで、遠隔制御装置が監視機能のみを備えるものである場合には、店舗内の管理装置からは、収集した情報のうち監視に必要な情報のみが、遠隔制御装置に送信される。
【００１５】
なお、従来の遠隔監視システムでは、機器毎に、あるいは同種の機器のみをまとめて、監視がなされていたが、上記のように、店舗内の管理装置から一括して各機器の情報を遠隔監視装置に送信するようにすれば、従来、機器毎に必要とされていた通信装置を省略でき、また、各機器から別々に行われていた通信を一度きりの通信にて達成できるようになる。よって、通信装置の削減によるコストの低減と、通信回数の低減によるコストの低減を、同時に達成できるようになる。
【００１６】
各請求項に係る発明の特徴は、以下のとおりである。
【００１７】
請求項１の発明に係る機器制御システムは、機器を制御するための制御装置と、複数の前記制御装置に対し制御情報を提供して各機器を統合的に管理する管理装置とを備えており、このうち、前記制御装置は、制御対象の機器からのセンサー情報と当該機器の運転情報を前記管理装置に送信すると共に、前記管理装置からの制御情報に従って当該機器を運転制御し、前記管理装置は、それぞれの制御装置から収集した前記センサー情報と運転情報に基づいて各機器の制御情報を生成しこれを対応する制御装置に送信することを特徴とするものである。
【００１８】
請求項２の発明に係る機器制御システムは、店舗内に設置された所定の機器を制御対象とする制御装置と、複数の前記制御装置に対し制御情報を提供して各機器を統合的に管理する管理装置とを備えており、このうち、前記制御装置は、制御対象の機器からのセンサー情報と当該機器の運転情報を前記管理装置に送信すると共に、前記管理装置からの制御情報に従って当該機器を運転制御し、前記管理装置は、それぞれの制御装置から収集した前記センサー情報と運転情報に基づいて各機器の制御情報を生成しこれを対応する制御装置に送信することを特徴とするものである。
【００１９】
請求項３の発明は、請求項２に記載の機器制御システムにおいて、前記管理装置は、当該店舗内および／もしくは当該店舗外に配されたセンサー手段からのセンサー情報をさらに収集し、それぞれの制御装置から収集したセンサー情報および運転情報と前記センサー手段から収集したセンサー情報に基づいて、各機器の制御情報を生成することを特徴とするものである。
【００２０】
請求項４の発明は、請求項２または３に記載の機器制御システムにおいて、前記管理装置は、店舗内に配されており、制御装置から収集した情報の一部または全部を、ネットワークを介して、店舗外に配された遠隔管理装置に送信することを特徴とするものである。
【００２１】
請求項５の発明に係る機器制御システムは、店舗内に設置された所定の機器を制御対象とする制御装置と、店舗内に配されると共に複数の前記制御装置に対し制御情報を提供する店舗管理装置と、当該店舗管理装置にネットワークを介して接続されると共に前記店舗管理装置に制御情報を提供して各機器を統合的に管理する遠隔管理装置とを備えており、このうち、前記制御装置は、制御対象の機器からのセンサー情報と当該機器の運転情報を前記管理装置に送信すると共に、前記管理装置からの制御情報に従って当該機器を運転制御し、前記店舗管理装置は、それぞれの制御装置から収集した前記センサー情報と運転情報を前記遠隔管理装置に送信すると共に前記遠隔管理装置から受信した制御情報を対応する制御装置に送信し、遠隔管理装置は、店舗管理装置から受信したそれぞれの制御装置からの前記センサー情報と運転情報に基づいて各機器の制御情報を生成しこれを前記店舗管理装置に送信することを特徴とするものである。
【００２２】
請求項６の発明は、請求項５に記載の機器制御システムにおいて、前記店舗管理装置は、当該店舗内および／もしくは当該店舗外に配されたセンサー手段からのセンサー情報をさらに収集し、それぞれの制御装置から収集したセンサー情報および運転情報と前記センサー手段から収集したセンサー情報を前記遠隔管理装置に送信することを特徴とするものである。
【００２３】
請求項７の発明は、請求項１ないし６の何れかに記載の機器制御システムにおいて、前記管理装置、店舗管理装置または遠隔管理装置は、前記制御情報として、全機器の総消費電力を抑制する制御目標値を機器毎に生成し、前記制御装置は、生成された制御目標値に従って、対応機器を制御することを特徴とするものである。
【００２４】
なお、上記請求項における制御装置は実施の形態では運転管理装置１００が対応している。また、上記請求項における管理装置および店舗管理装置は実施の形態では店舗管理装置２００が対応している。さらに、上記請求項における遠隔管理装置は実施の形態では遠隔管理装置３００が対応している。
【００２５】
ただし、以下の実施の形態は、あくまでも、本発明の一つの実施形態であって、本発明ないし各構成要件の用語の意義は、以下の実施の形態に記載されたものに制限されるものではない。
【００２６】
【発明の実施の形態】
以下、本発明の実施の形態につき図面を参照して説明する。
【００２７】
まず、図１に実施の形態に係る機器制御システムの構成を示す。
【００２８】
図示のとおり、本機器制御システムは、運転管理装置１００と、店舗管理装置２００と、遠隔管理装置３００と、ネットワーク４００と、室内センサー５０１と、室外センサー５０２から構成されている。
【００２９】
運転管理装置１００は、各機器（同図では、ショーケース、冷凍機、空調機、照明器具）からセンサー情報を受信すると共に、受信したセンサー情報と各機器の運転情報（運転設定や運転モードに関する情報等）を、店舗管理装置２００に送信する。また、店舗管理装置２００から受信した制御情報（目標値）に応じて各機器を運転制御する。
【００３０】
店舗管理装置２００は、各機器の運転管理装置１００から収集したセンサー情報および運転情報（運転設定や運転モードに関する情報等）と、室内センサー５０１および室外センサー５０２から収集したセンサー情報に基づいて各機器の制御情報（目標値）を生成し、これを対応する機器の運転管理装置１００に送信する。また、収集した情報のうち、遠隔監視に必要な情報を、ネットワーク（公衆網）を介して、遠隔管理装置３００に送信する。
【００３１】
遠隔管理装置３００は、店舗管理装置２００から受信した情報をモニター上に表示し、監視者の閲覧に供する。なお、遠隔管理装置３００は、かかる表示機能に加え、上記店舗管理装置２００における制御情報の生成機能をさらに有していても良い。この場合、店舗管理装置２００からは、収集した全ての情報が遠隔管理装置３００に送信される。また、遠隔管理装置３００から送信された制御情報は、店舗管理装置２００を介して、各機器の運転管理装置１００に送信される。
【００３２】
室内センサー５０１および室外センサー５０２は、たとえば、温度計、湿度計、照度計等から構成されており、検知したセンサー情報を適宜店舗管理装置２００に送信する。
【００３３】
図２に、運転管理装置１００の具体的構成例を示す。同図に示す如く、運転管理装置１００は、アクチュエータ制御部１０１と、制御部１０２と、通信制御部１０３と、情報ＩＦ部１０４と、記憶部１０５とから構成されている。
【００３４】
アクチュエータ制御部１０１は、対応機器からのセンサー情報を参照しつつ、運転設定値（目標値やタイマー設定値など）や運転モード（暖房、冷房、除湿など）に応じた運転状態となるよう、対応機器を制御する。制御部１０２は、内蔵メモリに格納された制御プログラムに従って各部を制御する。通信制御部１０３は、店舗管理装置２００との間の通信を制御する。通信は、ＲＳ−２３２ＣやＲＳ−４５８等のシリアル通信または専用の通信ラインを使用して行われる。
【００３５】
情報ＩＦ部１０４は、情報を受信するためのインタフェースを備え、対応機器のセンサーにて検知されたセンサー情報や、対応機器に対してユーザが設定・入力した設定値、運転モード等の情報を、対応機器から適宜受信する。記憶部１０５は、情報ＩＦ部１０４にて受信されたセンサー情報、設定値、運転モード等の情報や、店舗管理装置２００から受信した制御情報（目標値）、その他運転制御に必要な情報を適宜記憶する。
【００３６】
通信制御部１０３が店舗管理装置２００から情報送信要求を受信すると、この送信要求は制御部１０２に転送される。制御部１０２は、記憶部１０５に記憶されているセンサー情報および運転情報を読み出し、これを通信制御部１０３に転送する。通信制御部１０３は、受け取った情報をパケットに格納し、これを店舗管理装置２００に送信する。これにより、対応機器のセンサー情報および運転情報が店舗管理装置２００に集約される。
【００３７】
図３に、店舗管理装置２００の具体的構成例を示す。同図に示す如く、店舗管理装置２００は、内部通信制御部２０１と、制御部２０２と、外部通信制御部２０３と、センサーＩＦ部２０４と、記憶部２０５と、演算処理部２０６と、入出力制御部２０７とから構成されている。
【００３８】
内部通信制御部２０１は、上記運転管理装置１００との間の通信を制御する。制御部２０２は、内蔵メモリに格納された制御プログラムに従って各部を制御する。外部通信制御部２０３は、遠隔制御管理装置３００との間の通信を制御する。かかる通信は、上記の如く、ネットワーク４００を介して行われる。
【００３９】
センサーＩＦ部２０４は、情報を受信するためのインタフェースを備え、室内センサー５０１および室外センサー５０２にて検知されたセンサー情報（温度、湿度、照度等）を適宜受信する。記憶部２０５は、センサーＩＦ部２０４にて受信されたセンサー情報や、運転管理装置１００から受信したセンサー情報および運転情報を、適宜記憶する。
【００４０】
演算処理部２０６は、知識データベース２０６ａを備え、記憶部２０５に記憶されているセンサー情報および運転情報を知識データベースに従って演算処理し、各機器の制御情報（目標値）を生成する。ここで、知識データベース２０６ａには、たとえば、店舗の総消費電力を抑制するための目標値を演算処理する手順が、各機器の運転条件や店舗内外の環境条件と共に記憶されている。入出力制御部２０７は、キーボードやモニター等を介した必要情報の入出力を制御する。
【００４１】
各機器の運転管理装置１００から内部通信制御部２０１に送信されたセンサー情報、運転情報は、記憶部２０５に転送され適宜記憶される。制御部２０２は、適当なタイミングにて、記憶部２０５からセンサー情報と運転情報を読み出し、これを演算処理部２０６に転送する。演算処理部２０６は受信した情報を、知識データベース２０６ａに格納された処理手順に従って演算処理し、対応機器毎に制御情報（目標値）を生成する。この制御情報は、記憶部２０５に記憶されると共に、内部通信制御部２０１に転送される。内部通信制御部２０１は、受け取った制御情報をパケットに格納し、これを対応する機器の運転管理装置１００に送信する。これにより、たとえば店舗の総消費電力が効率的に抑制されるように、対応機器が運転制御される。
【００４２】
また、制御部２０２は、適当なタイミングにて、記憶部２０５からセンサー情報と運転情報を読み出し、これを外部通信制御部２０３に転送する。ここで、転送される情報は、上記の如く、遠隔管理部３００にて遠隔監視を行うに必要な範囲の情報とされる。外部通信制御部２０３は、受け取った情報をパケットに格納し、これを遠隔管理装置２００に送信する。これにより、遠隔管理装置３００のモニター上に、各機器の運転状態に関する情報が表示される。
【００４３】
図４に、運転管理装置１００から店舗管理装置２００に集約される情報（同図ａ）と、店舗管理装置２００から運転管理装置１００に提供される制御情報（同図ｂ）の一例を示す。なお、同図は、総消費電力の低減を実行するために必要な情報の一例を示すものである。
【００４４】
ただし、同図はあくまでも一例を示すものであって、総消費電力の低減を実行する際に、これ以外の情報を収集して制御情報を生成するようにすることも、勿論可能である。また、総消費電力の低減以外の目的で各機器を統合的に制御しようとする場合には、それに応じた情報が、運転管理装置１００から店舗管理装置２００に集約される。
【００４５】
図５に、遠隔管理装置３００の具体的構成例を示す。遠隔管理装置３００は、通信制御部３０１と、制御部３０２と、記憶部３０３と、演算処理部３０４と、入出力制御部３０５から構成されている。
【００４６】
なお、図５に示す構成例は、遠隔管理装置３００が、各機器の監視機能に加え、上記店舗管理装置２００における制御情報（目標値）の生成機能をも備える場合の構成例を示すものである。したがって、当該遠隔管理装置３００には、上記店舗管理装置２００と同様、演算処理部３０４と知識データベース３０４ａが配備されている。遠隔管理装置３００が制御情報の生成機能を備えていない場合、同図の演算処理部３０４と知識データベース３０４ａは省略される。この場合、店舗管理装置２００から受信したセンサー情報および運転情報は、入出力制御部３０５に転送され、モニター上に表示される。
【００４７】
図５を参照して、通信制御部３０１は、上記店舗管理装置２００との間の通信を制御する。制御部３０２は、内蔵メモリに格納された制御プログラムに従って各部を制御する。記憶部２０５は、店舗管理装置２００から受信したセンサー情報および運転情報を適宜記憶する。
【００４８】
演算処理部３０４は、知識データベース３０４ａを備え、記憶部３０３に記憶されているセンサー情報および運転情報を知識データベースに従って演算処理し、各機器の制御情報（目標値）を生成する。ここで、知識データベース３０４ａには、たとえば、店舗の総消費電力を抑制するための目標値を演算処理する手順が、各機器の運転条件や店舗内外の環境条件と共に記憶されている。入出力制御部３０５は、キーボードやモニター等を介した必要情報の入出力を制御する。
【００４９】
店舗管理装置２００から制御通信部３０１に送信されたセンサー情報および運転情報は、記憶部３０３に転送され適宜記憶される。制御部３０２は、適当なタイミングにて、記憶部３０３からセンサー情報と運転情報を読み出し、これを演算処理部３０４に転送する。演算処理部３０４ａは受信した情報を、知識データベース３０４ａに格納された処理手順に従って演算処理し、対応機器毎に制御情報（目標値）を生成する。この制御情報は、記憶部３０３に記憶されると共に、通信制御部３０１に転送される。通信制御部３０１は、受け取った制御情報をパケットに格納し、これを店舗管理装置２００に送信する。店舗管理装置２００は受信した制御情報を対応する機器に送信する。これにより、たとえば店舗の総消費電力が効率的に抑制されるように、対応機器が運転制御される。
【００５０】
また、制御部３０２は、通信制御部３０１が店舗管理装置３００からの情報を受信する毎にこれを入出力制御部３０５に転送する。入出力制御部３０５は、情報を受信すると、モニター上の表示をこの情報に応じたものに変更する。これにより、モニター上に各機器の最新の運転状態が表示される。これにより、各機器の遠隔監視が可能となる。
【００５１】
図６に、各機器を統合的に制御する際の運転管理装置１００と店舗管理装置２００における処理フローチャートを示す。
【００５２】
まず、運転管理装置１００における処理について説明する。
【００５３】
機器が目標値に従って運転制御されているとき（Ｓ１０１）、運転管理装置１００は、適宜、機器のセンサーによって検知されたセンサー情報を収集し、これを記憶部１０５に更新記憶せしめる（Ｓ１０２）。また、当該機器に対し、運転モードの変更設定が入力されたかを判別し（Ｓ１０３）、運転モードの変更設定が入力された場合には、目標値を当該運転モードの初期値として予め設定されている値に変更する。また、記憶部１０５に記憶されている運転モードと目標値を、新たに設定された運転モードとその初期設定値に書き換える（Ｓ１０４）。
【００５４】
しかる後、運転管理装置１００は、店舗管理装置２００からセンサー情報および運転情報の送信要求を受信したかを判別し（Ｓ１０５）、送信要求を受信した場合には、記憶部１０５からセンサー情報と運転情報（運転設定や運転モードに関する情報等）を読み出し、これを店舗管理装置２００に送信する（Ｓ１０６）。さらに、店舗管理装置２００から制御情報（目標値）を受信したかを判別し（Ｓ１０７）、受信した場合には、記憶部１０５に記憶されている目標値を、受信した目標値に書き換える（Ｓ１０８）。そして、機器がＯＦＦになっていなければ（Ｓ１０９）、Ｓ１０１に戻り、新たに設定された目標値に従って機器を運転制御する。以降、上記と同様の処理を繰り返す。
【００５５】
次に、店舗管理装置２００における処理について説明する。
【００５６】
店舗管理装置２００は、先の処理から一定期間が経過したかを判別し（Ｓ２０１）、一定期間が経過したと判別すると、室内センサー５０１と室外センサー５０２にて検知されたセンサー情報を収集し、これを記憶部２０５に記憶せしめる（Ｓ２０２）。そして、運転管理装置１００に対し、機器側のセンサー情報と運転情報の送信要求を送信し（Ｓ２０３）、これらの情報が運転管理装置１００から返信されてくるのを待つ（Ｓ２０４）。
【００５７】
しかる後、機器側のセンサー情報と運転情報を運転管理装置１００から受信すると、店舗管理装置２００は、これを記憶部２０５に更新記憶させると共に、受信した情報と、記憶部２０５に記憶されている他の機器のセンサー情報および運転情報と、室内センサー５０１と室外センサー５０２にて検知されたセンサー情報をもとに、知識データベース２０６ａの演算処理手順に従って、制御情報（目標値）を算出する（Ｓ２０５）。そして、算出した目標値を、制御情報として、運転管理装置１００に送信する（Ｓ２０６）。
【００５８】
しかる後、統合制御の対象とされる全て機器がＯＦＦとなっているかを判別し（Ｓ２０７）、ＯＦＦになっていなければ、Ｓ２０１に戻り、上記と同様の処理を実行する。以降、同様に、一定期間Ｔ毎にＳ２０２〜Ｓ２０７の処理を繰り返し、新たな制御情報（目標値）を運転管理装置１００に送信する。
【００５９】
以上、本実施の形態によれば、当該店舗の総消費電力を効率的に低減させ得る運転制御を実行することができる。この際、各機器の制御情報（目標値）は、各機器のセンサー情報のみならず運転情報をも収集して制御情報（目標値）を生成するものであるから、各機器の運転状態に則したものとなり、もって、消費電力の削減を、より微細かつ円滑に行うことができる。
【００６０】
なお、本発明は上記実施の形態に限定されるものではなく、他に種々の変更が可能であることは言うまでもない。
【００６１】
たとえば、上記実施の形態では、総消費電力の低減を目的として各機器を統合的に制御する例を示したが、これ以外を目的とする場合にも本発明を適用できる。この場合、各機器から収集するセンサー情報および運転情報の内容は、当該目的に応じて適宜変更される。また、知識データベースの内容も、当該目的に応じたものに変更される。
【００６２】
なお、図６に示すフローチャートのうち運転管理装置１００側の処理ステップは、運転モードの変更設定が可能な機器を制御する場合を念頭におくものであって、運転モードの変更設定がそもそも予定されていない機器を制御する場合には、同図のフローチャート中、Ｓ１０３とＳ１０４の運転モード変更ステップが省略される。この場合、運転管理装置１００から店舗管理装置２００に送信される運転情報には、当然ながら、運転モードに関する情報は含まれない。
【００６３】
また、図６に示すフローチャートのうち店舗管理装置２００側の処理ステップは、店舗管理装置２００にて制御情報（目標値）を生成する場合を念頭におくものであって、制御情報を遠隔管理装置３００側にて生成する場合には、同図に示すフローチャート中、Ｓ２０５の目標値生成ステップが省略される。この場合、Ｓ２０５に代えて、各機器のセンサー情報および運転情報と、室内センサー５０１および室外センサー５０２からのセンサー情報とを遠隔管理装置３００に送信するための処理ステップと、この送信の後に、遠隔管理装置３００から制御情報（目標値）を受信するための処理ステップが追加される。この場合、遠隔管理装置３００は、店舗管理装置２００から受信した上記情報をもとに、各機器の制御情報（目標値）を生成し、これを店舗管理装置２００に送り返す。そして、店舗管理装置２００は、受信した制御情報を、対応する運転管理装置１００に送信する。なお、かかる場合における遠隔管理装置３００の構成および動作は、図５を参照して既に説明したとおりである。
【００６４】
また、上記実施の形態では、それぞれの運転管理装置１００から受信したセンサー情報および運転情報の他、室内センサーおよび室外センサーからのセンサー情報をも含めた情報に基づいて制御情報を生成するようにしたが、室内センサーおよび室外センサーの何れか一方のみを含めた情報に基づいて制御情報を生成するようにしてもよく、また、室内センサーおよび室外センサーからのセンサー情報を含めずに、それぞれの運転管理装置１００から受信したセンサー情報および運転情報のみに基づいて制御情報を生成するようにしてもよい。
【００６５】
この他、制御の対象となる機器は図１に示すものに限られず、対象となる店舗の種類や規模に応じて、適宜、変更される。本発明の実施の形態は、本発明の技術的思想の範囲内において、適宜変更され得るものである。
【００６６】
【発明の効果】
以上、本発明によれば、各機器からのセンサー情報に加え運転情報をも加味して各機器の制御情報を生成するものであるから、各機器の運転状態が変化するような場合にも、各機器の運転制御を円滑且つ効率的に実行できる。
【００６７】
加えて、たとえば請求項４の発明のように、店舗内に配された管理装置から遠隔管理装置に一括して情報を提供するようにすれば、遠隔管理装置に情報を提供するための専用の通信装置を機器毎に個別に配さずとも、各機器の遠隔監視を行い得るようになり、さらに、この際の情報送信は、店舗側の管理装置から遠隔管理装置に対し一括してなされるため、通信コストの低減をも同時に図ることができるようになる。
【図面の簡単な説明】
【図１】実施の形態に係る機器制御システムの構成を示す図
【図２】実施の形態に係る運転管理装置の構成を示す図
【図３】実施の形態に係る店舗管理装置の構成を示す図
【図４】店舗管理装置に収集される情報の内容と店舗管理装置から送信される制御情報の内容を示す図
【図５】実施の形態に係る遠隔管理装置の構成を示す図
【図６】実施の形態に係る運転管理装置１００と店舗管理装置２００における処理フローチャート
【符号の説明】
１００  運転管理装置
１０１  アクチュエータ制御部
１０２  制御部
１０３  通信制御部
１０４  情報入力部
２００  店舗管理装置
２０１  内部通信制御部
２０２  制御部
２０３  外部通信制御部
２０３  センサー入力部
２０６  演算処理部
３００  遠隔管理装置
３０１  通信制御部
３０２  制御部
３０４  演算処理部
３０５  入出力制御部
５０１  室内センサー
５０２  室外センサー
【図１】
2004257640.tif 000003
【図２】
2004257640.tif 000004
【図３】
2004257640.tif 000005
【図４】
2004257640.tif 000006
【図５】
2004257640.tif 000007
【図６】
2004257640.tif 000008